(57)【要約】異なる時間に提供される複数のデータベースを同期させる方法を提供する。無線通信装置（１０２）が第１の領域（１０４）を離れ、第２の領域（１０８）に入ったとき、その無線通信装置（１０２）には新たな好ましいローミング・リスト情報（２０４）が提供され、そのリスト情報（２０４）は、格納されている機能拡張テーブルとはもはや同期していない可能性もある。新たな好ましいローミング・リスト情報（２０４）に含まれる情報に基づいて、その新たな好ましいローミング・リストに同期した適切な機能拡張テーブル（２１４）が受信される。
2005532011.tif 000002
【特許請求の範囲】
【請求項１】
無線通信装置において、
好ましいローミング・リスト情報を受信すること、
前記好ましいローミング・リスト情報が機能拡張テーブル参照情報を含むかどうかを判断すること、および
前記好ましいローミング・リスト情報が機能拡張テーブル参照情報を含む場合に、機能拡張テーブル情報を要求すること、から成る前記方法。
【請求項２】
前記好ましいローミング・リスト情報に同期した前記機能拡張テーブル情報を前記要求に応答して受信する、請求項１に記載の方法。
【請求項３】
前記無線通信装置上に既に格納されている機能拡張テーブル情報があればそれを、前記要求に応答して受信した機能拡張テーブル情報に更新する、請求項２に記載の方法。
【請求項４】
前記好ましいローミング・リストが通話案内テーブル参照情報を含む場合に、通話案内テーブル情報を要求する、請求項３に記載の方法。
【請求項５】
前記好ましいローミング・リスト情報に同期した前記通話案内テーブル情報を前記要求に応答して受信する、請求項４に記載の方法。
【請求項６】
前記機能拡張テーブルが通話案内テーブル参照情報を含んでいる場合に、通話案内テーブル情報を要求する、請求項３に記載の方法。
【請求項７】
前記機能拡張テーブルに同期した前記通話案内テーブル情報を前記要求に応答して受信する、請求項６に記載の方法。
【請求項８】
前記好ましいローミング・リスト情報が機能拡張テーブル参照情報を含まない場合に、前記無線通信装置上に既に格納されている機能拡張テーブル情報があればそれを削除する、請求項１に記載の方法。
【請求項９】
無線通信装置において、
ネットワークから機能拡張テーブル情報を受信すること、
前記ネットワークから受信した前記機能拡張テーブル情報に対応する好ましいローミング・リスト情報を要求することによって、前記機能拡張テーブル情報を好ましいローミング・リスト情報に同期させること、および
前記要求に応答して、前記機能拡張テーブル情報を参照している好ましいローミング・リスト情報を受信すること、から成る方法。
【請求項１０】
無線通信ネットワークにおいて、
無線通信装置の機能拡張テーブル情報と、無線通信装置の対応する好ましいローミング・リスト情報との適合するバージョン同士を相互に関連付ける情報ベースを維持すること、前記好ましいローミング・リスト情報は前記機能拡張テーブル情報への参照を含むこと、
前記機能拡張テーブル情報を無線通信装置に送信すること、および
前記対応する好ましいローミング・リスト情報を前記無線通信装置に送信すること、から成る方法。
【請求項１１】
前記無線通信装置からのある要求に応答して、前記機能拡張テーブル情報を前記無線通信装置に送信する、請求項１０に記載の方法。
【請求項１２】
前記対応する好ましいローミング・リスト情報を送信した後で、前記機能拡張テーブル情報を前記無線通信装置に送信する、請求項１１に記載の方法。
【請求項１３】
前記無線通信装置からのある要求に応答して、前記好ましいローミング・リスト情報を前記無線通信装置に送信する、請求項１０に記載の方法。
【請求項１４】
前記対応する機能拡張テーブル情報を送信した後で、前記好ましいローミング・リスト情報を前記無線通信装置に送信する、請求項１３に記載の方法。
【請求項１５】
無線電話機において、リスト・バージョン番号を有する好ましいローミング・リストをローミング・インジケータ・テーブルに同期させる方法であって、
好ましいローミング・リストを受信すること、
リスト・バージョン番号と、前記リスト・バージョン番号に対応するローミング・インジケータ・テーブルの受信を求める要求とを送信すること、および
前記リスト・バージョン番号に対応し、かつ前記好ましいローミング・リストに同期している前記ローミング・インジケータ・テーブルを受信すること、から成る方法。
【請求項１６】
無線電話機において、ローミング・インジケータ・フィールドとリスト・バージョン番号とを有する好ましいローミング・リストをローミング・インジケータ・テーブルに同期させる方法であって、
好ましいローミング・リストを受信すること、
ローミング・インジケータ・フィールドが所定の条件を満たすかどうかを判断すること、
前記所定の条件が満たされている場合に、リスト・バージョン番号と、前記リスト・バージョン番号に対応するローミング・インジケータ・テーブルの受信を求める要求とを送信すること、および
前記リスト・バージョン番号に対応し、かつ前記好ましいローミング・リストに同期している前記ローミング・インジケータ・テーブルを受信すること、から成る方法。
【請求項１７】
無線電話機において、テーブル・バージョン番号を有するローミング・インジケータ・テーブルを好ましいローミング・リストに同期させる方法であって、
前記ローミング・インジケータ・テーブルを受信すること、
前記テーブル・バージョン番号と、前記テーブル・バージョン番号に対応する前記好ましいローミング・リストの受信を求める要求とを送信すること、および
前記テーブル・バージョン番号に対応しており、前記ローミング・インジケータ・テーブルに同期している前記好ましいローミング・リストを受信すること、から成る方法。
【請求項１８】
無線電話ネットワークにおいて、好ましいローミング・リストとローミング・インジケータ・テーブルを提供する方法であって、
複数の好ましいローミング・リストと複数のローミング・インジケータ・テーブルを維持すること、
複数の、好ましいローミング・リストとローミング・インジケータ・テーブルの適合するペアからなるリストを維持すること、
第１のリスト・バージョン番号を有する前記複数の好ましいローミング・リストのうちの第１の好ましいローミング・リストを送信すること、
前記第１の好ましいローミング・リストの前記第１のリスト・バージョン番号と、前記複数のローミング・インジケータ・テーブルのうちの第１のローミング・インジケータ・テーブルの送信を求める要求とを受信すること、
前記第１のリスト・バージョン番号と、好ましいローミング・リストとローミング・イ
ンジケータ・テーブルの適合するペアの前記リストとに基づき、前記第１のローミング・インジケータ・テーブルを選択すること、および
前記第１の好ましいローミング・リストに同期した前記第１のローミング・インジケータ・テーブルを送信すること、から成る方法。
【請求項１９】
無線電話機において第１の好ましいローミング・リストと第１のローミング・インジケータ・テーブルを置き換える方法であって、
第２のリスト・バージョン番号を有する第２の好ましいローミング・リストを受信すること、
前記第１の好ましいローミング・リストを前記第２の好ましいローミング・リストで置き換えること、
前記第２のバージョン番号と、該第２のリスト・バージョン番号に対応する第２のローミング・インジケータ・テーブルの受信を求める要求とを送信すること、
前記第２のリスト・バージョン番号に対応し、かつ前記第２の好ましいローミング・リストに同期している前記第２のローミング・インジケータ・テーブルを受信すること、および
前記第１のローミング・インジケータ・テーブルを前記第２のローミング・インジケータ・テーブルで置き換えること、から成る方法。
【発明の詳細な説明】
【技術分野】
【０００１】
本発明は、一般に別々のデータ・セットを提供し、それらを同期させる方法に関する。より詳細には、本発明は、無線通信装置において、データ・パラメータに基づいてあるデータ・セットを他のデータ・セットに同期させる方法に関する。
【背景技術】
【０００２】
符号分割多元接続（「ＣＤＭＡ」）を使用する携帯電話すなわち移動端末に、好ましいローミング・リスト（ｐｒｅｆｅｒｒｅｄ  ｒｏａｍｉｎｇ  ｌｉｓｔ、［ＰＲＬ」）と呼ばれるテーブルを提供することが知られている。携帯電話は、システムＩＤ（「ＳＩＤ」）やネットワークＩＤ（「ＮＩＤ」）などのＰＲＬに含まれる情報に基づいて、それ自体を登録するのに最適なネットワークを決定する。携帯電話は、その携帯電話が置かれている環境におけるシステムおよびネットワークの可用性に応じて、その携帯電話の現在の環境に適した新しいＰＲＬを無線で受け取り、そのＰＲＬを既存のＰＲＬを置き換えることができる。現在、携帯電話は、ＰＲＬに関連する３つのタイプのローミング・インジケータをサポートしており、それらは現在の環境における携帯電話のローミング状態をユーザに知らせるのに役立つ。例えば、第１のタイプのインジケータは、ローミング・インジケータ・ライトを消灯することによってその携帯電話がホーム・ネットワーク中にあること、すなわちローミング中でないことを示すことが可能である。また、第２のタイプのインジケータは、ローミング・インジケータ・ライトを点灯することによってその携帯電話が好ましいローミング・ネットワーク中にいることを示すことが可能であり、第３のタイプのインジケータは、ローミング・インジケータ・ライトを点滅することによってその携帯電話が好ましくないローミング・ネットワーク中にいることを示すことが可能である。また、ＴＩＡ／ＥＩＡ  ＴＳＢ５８ｂのセクション８．１に規定されているように、４つ以上のタイプのインジケータをサポートする拡張型ローミング・インジケータ（ｅｎｈａｎｃｅｄ  ｒｏａｍｉｎｇ  ｉｎｄｉｃａｔｏｒ、「ＥＲＩ」）を携帯電話に提供して、ユーザに伝えるローミング状況を拡張することができる。しかし、携帯電話がローミングを行い、そのＰＲＬが新しい別のＰＲＬで置き換えられたとき、このＥＲＩは新しいＰＲＬと正しく関連付けられない可能性がある。
【０００３】
したがって、無線通信装置において、無線通信装置が別々の時間に取得した２つの異なるデータ・セットを同期させる方法が必要とされている。
【発明を実施するための最良の形態】
【０００４】
本発明は、一般に、無線通信装置において２つの別々の時間に受信した２つのデータ・セットを同期させる方法に関する。
いくつかの適用例では、第１のデータ・セット、例えば好ましいローミング・リスト（「ＰＲＬ」）または拡張型の好ましいローミング・リスト（ｅｘｔｅｎｄｅｄ  ｐｒｅｆｅｒｒｅｄ  ｒｏａｍｉｎｇ  ｌｉｓｔ、「ＥＰＲＬ」）が無線通信装置中に格納されており、第１のデータ・セットに関連付けまたは同期化された第２のデータ・セット、例えば拡張型ローミング・インジケータ（「ＥＲＩ」）もやはり無線通信装置中に格納されている。
【０００５】
無線通信装置が、ある環境から次の環境にローミングを行うとき、無線通信装置は新しいＰＲＬを受信することが可能であるが、この新しいＰＲＬは、新しい環境でのシステムおよびネットワークの可用性によっては、その装置中に既に格納されている現在のＥＲＩと同期していない可能性がある。本発明の１態様によれば、無線通信装置は新しいＰＲＬ
のパラメータに基づいて、新しいＰＲＬに同期したＥＲＩを受信する。
【０００６】
図１は、本発明のいくつかの態様を実施可能な、例示的環境を示している。第１の領域１０４に位置している、すなわちキャリアＡによって提供される第１のネットワーク１０６中で動作している無線通信装置１０２が、第１の領域１０４を離れ第２の領域１０８に入ったとき、その無線通信装置１０２は、別のキャリア、すなわちキャリアＢによって提供される第２のネットワーク１１０中に登録しその中で動作することが必要になる場合がある。
【０００７】
無線通信装置のホーム・キャリアは、キャリアＡおよびＢのそれぞれと異なる契約を交わしている場合があり、このため、例えば無線通信装置がローミングを行うと、その無線通信装置に請求される料金に影響を与える可能性がある。ネットワーク中の無線通信装置の状態を判断する助けとして、無線通信装置は好ましいローミング・リストを受信することが可能である。他の適用例では、携帯電話装置は、好ましいローミング・リスト以外のリストまたはデータ・セットを受信することも可能である。
【０００８】
図２を参照すると、無線通信装置における、本発明の第１の実施形態についての例示的な流れ図が示されている。携帯用無線通信装置、好ましくは携帯用無線電話が第１の領域を離れ第２の領域に入ったとき、ブロック２０２でこの工程が開始される。第２の領域に入るとすぐに、無線通信装置は、ブロック２０４で好ましいローミング・リスト情報を受信する。好ましいローミング・リスト情報とは、好ましいローミング・リスト（「ＰＲＬ」）や拡張型の好ましいローミング・リスト（「ＥＰＲＬ」）などであるが、これだけに限定されるわけではない。次いで無線通信装置は、ブロック２０６で、受信した好ましいローミング・リスト情報が、ローミング・インジケータや拡張型ローミング・インジケータなどの、これだけに限定されるわけではないが、機能拡張テーブルを参照するための情報を含むかどうかを判断し、これにより受信した好ましいローミング・リスト情報の機能を補足することが可能である。受信した好ましいローミング・リスト情報が機能拡張テーブルへの参照をまったく含まない場合、無線通信装置は、ブロック２０８で、既に格納されている機能拡張テーブルがあればそれを削除することが可能である。その後、無線通信装置は、ブロック２１０で通常の動作を再開する。受信した好ましいローミング・リスト情報が機能拡張テーブルへの参照を含む場合は、無線通信装置は、ブロック２１２で機能拡張テーブル情報を求める要求を行い、その要求に応答してブロック２１４で、受信した好ましいローミング・リスト情報に同期した機能拡張テーブル情報を受信する。次いで、無線通信装置は、ブロック２１６で、格納されている機能拡張テーブル情報を更新し、ブロック２１０で工程を終了し、通常動作を再開する。ブロック２１６の後、好ましいローミング・リストと機能拡張テーブルの少なくとも一方をさらに補足する通話案内テーブル（ｃａｌｌ  ｐｒｏｍｐｔ  ｔａｂｌｅ）などの、これだけに限定されるわけではないが、第３のデータベースを、好ましいローミング・リスト情報または機能拡張テーブル情報に含まれる参照に基づいて受信することが可能である。あるいは、通話案内テーブルを、好ましいローミング・リストまたは機能拡張テーブルの中に含めることも可能である。
【０００９】
図３を参照すると、無線通信装置における、本発明の他の態様についての例示的な流れ図が示されている。先に図２の例に示したと同様に、携帯用無線通信装置が第１の領域を離れ第２の領域に入ったときに、ブロック３０２でこの工程が開始される。第２の領域に入るとすぐに、無線通信装置は、ブロック３０４で機能拡張テーブル情報を受信する。受信した機能拡張テーブル情報に基づいて、無線通信装置は、ブロック３０６で、対応する好ましいローミング・リスト情報の受信を求める要求を行う。次いで無線通信装置は、ブロック３０８で、受信済みの機能拡張テーブル情報に同期した、対応する好ましいローミング・リスト情報を受信し、ブロック３１０でこの工程を終了し、通常動作を再開する。
【００１０】
図２および図３のどちらの例でも、好ましいローミング・リスト情報と機能拡張テーブル情報との間の同期は、無線通信装置が情報を受信するネットワークにおいて、適合するバージョンのリストまたは適合するペアのリストを維持することにより達成可能である。
【００１１】
図４を参照すると、ネットワークにおける、本発明の第３の実施形態についての例示的な流れ図が示されている。ブロック４０２に示したように、ネットワークは、複数の好ましいローミング・リストとローミング・インジケータ・テーブルを維持しており、それらは定期的に更新される。ネットワークはまたブロック４０４で、複数の、好ましいローミング・リストとローミング・インジケータ・テーブルの適合するペアのリストも維持する。例えば、好ましいローミング・リストのバージョン１は、ローミング・インジケータ・テーブルのバージョン３とは適合するが、ローミング・インジケータ・テーブルのバージョン２とは適合しないことがある。また、好ましいローミング・リストのバージョン２は、ローミング・インジケータ・テーブルのバージョン５とのみ適合することもある。ある無線通信装置が第１の領域を離れ第２の領域に入ったことをネットワークが検出したとき、ネットワークは、ブロック４０６で、ネットワーク中で維持されている複数の好ましいローミング・リストのうちの、あるバージョン番号を有する好ましいローミング・リストの１つを送信する。次いで、ネットワークはブロック４０８で、バージョン番号と、対応するローミング・インジケータ・テーブルを求める要求とを受信する。さらに、ネットワークは、無線通信装置の機能および状態を受信することも可能であり、それによって、好ましいローミング・リストとは適合するが、その無線通信装置とは適合しないローミング・インジケータ・テーブルを送信することを避けることが可能である。ネットワークは、ブロック４１０で、受信したバージョン番号に基づいて、そのバージョン番号を有する好ましいローミング・リストと同期している適切なローミング・インジケータ・テーブルを選択する。次いで、ネットワークは、ブロック４１２で、選択されたローミング・インジケータ・テーブルを送信し、ブロック４１４でこの工程を完了する。
【００１２】
本発明の好ましい実施形態について例示し説明してきたが、本発明がそれだけに限定されるわけではないことを理解されたい。添付の特許請求の範囲によって定義される本発明の趣旨および範囲から逸脱することなく、多数の修正形態、変更形態、変形形態、代用形態、および等価形態が当業者には想到されるはずである。
【図面の簡単な説明】
【００１３】
【図１】本発明の方法を開始可能である例示的な環境を示す図。
【図２】無線通信装置における本発明の第１の実施形態についての例示的な流れ図。
【図３】無線通信装置における本発明の第２の実施形態についての例示的な流れ図。
【図４】ネットワークにおける本発明の第３の実施形態についての例示的な流れ図。
【図１】
2005532011.tif 000003
【図２】
2005532011.tif 000004
【図３】
2005532011.tif 000005
【図４】
2005532011.tif 000006
【手続補正書】
【提出日】平成16年7月12日(2004.7.12)
【手続補正１】
【補正対象書類名】特許請求の範囲
【補正対象項目名】全文
【補正方法】変更
【補正の内容】
【特許請求の範囲】
【請求項１】
無線通信装置において、
好ましいローミング・リスト情報を受信すること、
前記好ましいローミング・リスト情報が機能拡張テーブル参照情報を含むかどうかを判断すること、および
前記好ましいローミング・リスト情報が機能拡張テーブル参照情報を含む場合に、機能拡張テーブル情報を要求すること、を特徴とする前記方法。
【請求項２】
前記好ましいローミング・リスト情報に同期した前記機能拡張テーブル情報を前記要求に応答して受信する、請求項１に記載の方法。
【請求項３】
前記無線通信装置上に既に格納されている機能拡張テーブル情報があればそれを、前記要求に応答して受信した機能拡張テーブル情報に更新する、請求項２に記載の方法。
【請求項４】
前記好ましいローミング・リストが通話案内テーブル参照情報を含む場合に、通話案内テーブル情報を要求し、
前記好ましいローミング・リスト情報に同期した前記通話案内テーブル情報を前記要求に応答して受信する、請求項３に記載の方法。
【請求項５】
前記機能拡張テーブルが通話案内テーブル参照情報を含んでいる場合に、通話案内テーブル情報を要求し、
前記機能拡張テーブルに同期した前記通話案内テーブル情報を前記要求に応答して受信する、請求項３に記載の方法。
【請求項６】
前記好ましいローミング・リスト情報が機能拡張テーブル参照情報を含まない場合に、前記無線通信装置上に既に格納されている機能拡張テーブル情報があればそれを削除する、請求項１に記載の方法。
【請求項７】
無線通信ネットワークにおいて、
無線通信装置の機能拡張テーブル情報と、無線通信装置の対応する好ましいローミング
・リスト情報との適合するバージョン同士を相互に関連付ける情報ベースを維持すること、前記好ましいローミング・リスト情報は前記機能拡張テーブル情報への参照を含むこと、
前記機能拡張テーブル情報を無線通信装置に送信すること、および
前記対応する好ましいローミング・リスト情報を前記無線通信装置に送信すること、を特徴とする方法。
【請求項８】
前記対応する好ましいローミング・リスト情報を送信した後で、前記無線通信装置からのある要求に応答して、前記機能拡張テーブル情報を前記無線通信装置に送信する、請求項７に記載の方法。
【請求項９】
前記対応する機能拡張テーブル情報を送信した後で、前記無線通信装置からのある要求に応答して、前記好ましいローミング・リスト情報を前記無線通信装置に送信する、請求項７に記載の方法。
【請求項１０】
無線電話機において、ローミング・インジケータ・フィールドとリスト・バージョン番号とを有する好ましいローミング・リストをローミング・インジケータ・テーブルに同期させる方法であって、
好ましいローミング・リストを受信すること、
ローミング・インジケータ・フィールドが所定の条件を満たすかどうかを判断すること、
前記所定の条件が満たされている場合に、リスト・バージョン番号と、前記リスト・バージョン番号に対応するローミング・インジケータ・テーブルの受信を求める要求とを送信すること、および
前記リスト・バージョン番号に対応し、かつ前記好ましいローミング・リストに同期している前記ローミング・インジケータ・テーブルを受信すること、を特徴とする方法。
【国際調査報告】
2005532011.tif 000007